(57)【特許請求の範囲】
【請求項１】
建物開口部に取り付けられる枠体と、金属框の室内側に中空部を有する樹脂框を設けてなる障子とを備え、
樹脂框は、室内側に面する室内側中空部と、室内側中空部の室外側においてガラス間口に面する内周側中空部を有し、見込み方向及び見付け方向に複数の中空部が積層されてなるとともに、ガラス間口の見込み方向中間位置で金属框と接合してあり、
金属框は、室内側面の内周側と外周側にそれぞれ樹脂框を接合するための係合片を有し、樹脂框を接合した状態で、内周側にある係合片の室内側及び内周側が樹脂框の室内側中空部及び内周側中空部に囲まれることを特徴とする建具。
【発明の詳細な説明】
【技術分野】
【０００１】
金属枠の室内側に樹脂枠を取付けてなる枠体と、枠体に開閉自在に支持される障子とを備える建具に関する。
【背景技術】
【０００２】
近年、金属枠の室内側に樹脂枠を取付けた断熱性能を有する建具が知られている。（特許文献１）
【先行技術文献】
【特許文献】
【０００３】
【特許文献１】特開２００４−２８５７４９号
【発明の概要】
【発明が解決しようとする課題】
【０００４】
上記先行技術文献のような断熱性能を有する建具においては、金属框の室内側に樹脂框を連結して複合框として、建具の断熱性を高めていた。
そして、断熱性を高めるには、樹脂框の見込み寸法を少しでも大きくすることが有効であり、樹脂框の見込み幅寸法を大きくして、ガラス間口の見込み方向中央付近において金属框と樹脂框を連結することにより、断熱性を高めることが考えられる。
しかしながら、金属框と樹脂框との連結には、金属框の室内側面に突出する係止片に対して、樹脂框の係止部を係止して取付けることがされているが、金属框の係止片は金属框の室内側面から室内側に突出して設けられており、金属框と樹脂框との連結位置をガラス間口の見込み方向中央付近となるように樹脂框の見込み幅寸法を大きくしても、金属である係止片の突出分だけが室内側に存在することとなり、その部分から熱が室内側に伝わることがあった。
【０００５】
本発明は、上記の事情を鑑み、金属框と樹脂框とからなる複合框において、断熱性能のさらなる向上をはかることを目的とする。
【課題を解決するための手段】
【０００６】
本発明は、建物開口部に取り付けられる枠体と、金属框の室内側に中空部を有する樹脂框を設けてなる障子とを備え、樹脂框は、室内側に面する室内側中空部と、室内側中空部の室外側においてガラス間口に面する内周側中空部を有し、見込み方向及び見付け方向に複数の中空部が積層されてなるとともに、ガラス間口の見込み方向中間位置で金属框と接合してあり、金属框は、室内側面の内周側と外周側にそれぞれ樹脂框を接合するための係合片を有し、樹脂框を接合した状態で、内周側にある係合片の室内側及び内周側が樹脂框の室内側中空部及び内周側中空部に囲まれることを特徴とする。
【発明の効果】
【０００７】
金属框と樹脂框とからなる複合框において、金属框からの熱の伝達を抑制することができ、建具全体の断熱性能のさらなる向上をはかることができる。
【図面の簡単な説明】
【０００８】
【図１】本発明の実施形態に係る建具の縦断面図である。
【図２】本発明の実施形態に係る建具の横断面図である。
【図３】本発明の実施形態に係る建具の縦枠の拡大横断面図である。
【発明を実施するための形態】
【０００９】
−勝手口ドアの構成−
本発明の実施形態の建具について、図１、２に示す勝手口ドアを用いて説明する。
（全体の構成）
図１、２に示すように、本発明の実施形態の勝手口ドアは、建物開口部に設置される、上枠１１、下枠１２及び左、右縦枠１３，１４により構成される枠体１と、上框２１、下框２２、及び左、右縦框２３，２４を四周に組んでその内周にガラス等のパネル体が嵌め込まれて構成されるドア本体２とからなる。
ドア本体２はヒンジ７１により枠体１に開閉自在に取り付けられており、枠体１の上枠１１とドア本体２の上框２１との間には、ドアクローザ７２が配置されている。
【００１０】
（窓枠の構成）
枠体１を構成する上枠１１、下枠１２及び左、右縦枠１３，１４は、アルミ等の金属材料からなる金属枠の室内側に合成樹脂により形成された樹脂枠を設けて形成されている。
上枠１１を構成する金属上枠１１１は、断面中空の上枠本体部１１１ａの室内側に室内側部分１１１ｂが延設されて構成され、室内側部分１１１ｂの内周面には嵌合溝１１１ｃが形成されている。
上枠１１を構成する樹脂上枠１１２は、断面中空の樹脂枠本体部１１２ａと、樹脂枠本体部１１２ａの室外側外周に形成される嵌合部１１２ｂとにより構成されており、樹脂枠本体部１１２ａの室内側にはアングル部が設けられている。
【００１１】
そして、樹脂上枠１１２は、その嵌合部１１２ｂを金属上枠１１１の嵌合溝１１１ｃに嵌合するとともに、樹脂枠本体部１１２ａの内周側から金属上枠１１１に対してビス等の連結手段（図示は無し。）により取付けられ、樹脂上枠１１２が取付けられた上枠１１をネジ等の固定手段（図示は無し）により、建物開口部に固定されている。
樹脂枠本体部１１２ａの内周側には、金属上枠１１１と樹脂上枠１１２を連結するためのネジ等の連結手段や、上枠１１を建物開口部に固定するためのビス等の固定手段（図示せず）の頭部が収容できるように溝部１１２ｃが形成されており、溝部１１２ｃの開口部には、樹脂蓋１１２ｄが嵌め込まれ、連結手段や固定手段の頭部が室内側に露出することを防止している。また、樹脂上枠１１２の樹脂枠本体部１１２ａの室外側面には、気密材保持溝が形成され、ドア本体２の上框２１の室内側面に当接して枠体１とドア本体２との間を気密する気密材ｓが保持されている。
【００１２】
下枠１２は、建物躯体に配置されたアンカー部材７３に固定される金属下枠１２１と、金属下枠１２１の室内側内周面に嵌合固定される樹脂下枠１２２とから構成されている。
金属下枠１２１は、断面中空の下枠本体部１２１ａの室外側に水切り１２１ｂが延設されてなり、その室内側内周面には樹脂下枠１２２を嵌合固定するための嵌合凹部１２１ｃが形成されている。
【００１３】
樹脂下枠１２２は、断面中空の樹脂下枠本体部１２２ａの下方に、金属下枠１２１の嵌合凹部１２１ｃに嵌合する嵌合部１２２ｂが形成されてなり、樹脂下枠本体部１２２ａの室内側にアングル部が延設されている。
そして、嵌合部１２２ｂを金属下枠１２１の嵌合凹部１２１ｃに嵌合して、樹脂下枠１２２のアングル部を建物躯体の開口部下面の木製等の額部に載置した状態で、木ねじ等により固定される。
樹脂下枠本体部１２２ａの室外側面は、金属下枠１２１の嵌合凹部１２１ｃ上方で室外側に露出して気密材保持溝が形成され、ドア本体２の下框２２の室内側面に当接して枠体１とドア本体２との間を気密する気密材ｓが保持されている。
【００１４】
左、右縦枠１３、１４は、建物開口部に固定される金属左縦枠１３１及び金属右縦枠１４１と、金属左縦枠１３１，金属右縦枠１４１の室内側内周面に取付けられる左右の樹脂縦枠とからなる。
金属左縦枠１３１及び金属右縦枠１４１は、断面中空の本体部１３１ａ，１４１ａと本体部１３１ａ，１４１ａの室内側に延設する樹脂枠取付部１３１ｂ，１４１ｂとを備えている。
左右の樹脂縦枠は、金属左縦枠１３１，金属右縦枠１４１の樹脂枠取付部１３１ｂ，１４１ｂに取付けられる主樹脂左縦枠１３２，主樹脂右縦枠１４２と、主樹脂左縦枠１３２，主樹脂右縦枠１４２に係止される副樹脂左縦枠１３３，副樹脂右縦枠１４３とから構成されている。
【００１５】
主樹脂左縦枠１３２，主樹脂右縦枠１４２は、中空本体部１３２ａ，１４２ａと、中空本体部１３２ａ，１４２ａの内周面から内周方向に延設される気密材保持片１３２ｂ，１４２ｂと、中空本体部１３２ａ，１４２ａの室内側に設けられる係合溝１３２ｃ，１４２ｃとから構成されている。
副樹脂左縦枠１３３，副樹脂右縦枠１４３は、中空本体部１３３ａ，１４３ａと、中空本体部１３３ａ，１４３ａの外周面にされ、主樹脂左縦枠１３２，主樹脂右縦枠１４２の係合溝１３２ｃ，１４２ｃに係合される係合爪部１３３ｂ，１４３ｂと、中空本体部１３３ａ，１４３ａの室外側内周に設けられ、主樹脂左縦枠１３２，主樹脂右縦枠１４２の気密材保持片１３２ｂ，１４２ｂに係合する係合部１３３ｃ，１４３ｃとから構成されている。
【００１６】
そして、主樹脂左縦枠１３２，主樹脂右縦枠１４２を、金属左縦枠１３１，金属右縦枠１４１の樹脂枠取付部１３１ｂ，１４１ｂにビス等を用いて固定したのち、金属左縦枠１３１，金属右縦枠１４１の外周に設けられた取付片１３１ｃ，１４１ｃを建物開口部にネジ等の固定手段により固定するとともに、建物開口部の内周側からネジ等の固定手段により固定することで、左、右縦枠１３，１４が建物開口部に固定される。
【００１７】
なお、金属縦枠に取付けられた主樹脂左縦枠１３２，主樹脂右縦枠１４２の見込み壁にはネジ等の固定手段が貫通する孔部を設けて、ネジ等の固定手段によって左右の金属縦枠のみを建物開口部に固定することが、施工後のメンテナンス性の点から好ましいが、金属縦枠と主樹脂縦枠とを一緒に建物開口部に固定するようにすることも可能である。
さらに、建物開口部に固定された主樹脂左縦枠１３２，主樹脂右縦枠１４２の係合溝１３２ｃ，１４２ｃに係合爪部１３３ｂ，１４３ｂを係合し、気密材保持片１３２ｂ，１４２ｂに係合部１３３ｃ，１４３ｃを係合することで、主樹脂左縦枠１３２，主樹脂右縦枠１４２に副樹脂左縦枠１３３，副樹脂右縦枠１４３を強固に取り付けることができる。
【００１８】
そして、主樹脂左縦枠１３２，主樹脂右縦枠１４２の室外側面には気密材ｓ１が設けられ、ドア本体２の左、右縦框２３，２４の室内側面に当接して枠体１とドア本体２との間を気密している。
【００１９】
（ドア本体の構成）
ドア本体２を構成する上框２１、下框２２及び左、右縦框２３，２４は、アルミ等の金属材料からなり中空の矩形形状をなす金属框と、金属框の室内側面に配置され、金属框の室内側面の全域を樹脂製の中空部により覆う樹脂框とから構成され、樹脂枠はいずれも複数の中空部を備えている。
【００２０】
ドア本体２の上框２１を構成する金属上框２１１は、ガラス間口の外周に配置されて断面中空形状をなす中空本体部２１１ａと、中空本体部２１１ａの室外面の上下端をそれぞれ延設してなる室外側壁２１１ｂとからなり、室外側壁２１１ｂは内周方向に延設してガラス間口外周壁を構成し、外周方向に延設されて金属上枠１１１の室外面に設けた気密材が当接する気密材当接片を形成している。
【００２１】
上框２１を構成する樹脂上框２１２は、見付け方向に複数の中空部が配置されてなる室内側部の室外側面に隔壁を設けてなる中空本体部２１２ａと、中空本体部２１２ａの内周に延びるガラス間口部とからなる。
そして、樹脂上框２１２は、中空本体部２１２ａの室外側の内周端及び外周端にそれぞれ係止部が設けられ、ガラス間口の見込み方向略中央位置、少なくとも中間位置において、金属上框２１１と係合して上框２１を形成している。
金属上框２１１と樹脂上框２１２が係合することにより、樹脂上框２１２の中空本体部２１２ａの室外側面に設けられた隔壁の先端が金属上框２１１の室内側面に当接もしくは近接することとなり、金属上框２１１と樹脂上框２１２との間には中空部による空気層が形成されている。
【００２２】
ドア本体２を構成する下框２２は、上框２１の構成と略同一であるので、下框２２の構成についての説明は省略する。
【００２３】
ドア本体２を構成する左縦框２３の金属左縦框２３１は、ガラス間口の室外側外周に配置される中空形状をなす中空本体部２３１ａを有しており、左縦框２３を構成する樹脂左縦框２３２は、見付け方向に複数の中空部が配置されてなる室内側部の室外側面に隔壁を設けてなる中空本体部２３２ａを有し、金属左縦框２３１の室内側面に係合固定されている。
そして、金属左縦框２３１の外周面と左縦枠１３の金属左縦枠１３１がヒンジ７１により連結され、ドア本体２が枠体１に対して開閉自在に支持されている。
【００２４】
ドア本体２を構成する右縦框２４の金属右縦框２４１は、ガラス間口の室外側外周に配置される中空形状をなす中空本体部２４１ａを有し、中空本体部２４１ａの内部には、ハンドル７４により操作されるラッチ機構７５が配置されており、ハンドル７４の操作によりドアの開閉を可能にしている。
右縦框２４を構成する樹脂右縦框２４２は、見付け方向に複数の中空部が配置されてなる室内側部の室外側面に隔壁を設けてなる中空本体部２３２ａを有し、金属左縦框２３１の室内側面に係合固定されている。
【００２５】
−框の断熱構造−
本実施形態に示すような勝手口ドアにおいて、例えば、樹脂框の見込み幅寸法を大きくして、ドア本体２全体の断熱性を高めることが考えられており、例えば金属左縦框２３１と樹脂左縦框２３２に見られるように、樹脂左縦框２３２の見込み幅寸法を框全体の見込み幅寸法の略半分程度まで大きくして、ガラス間口の見込み方向略中央位置、少なくとも見込み方向中間位置において、金属框と樹脂框とを接合して、断熱性能を高めることが考えられている。
しかし、金属左縦框２３１と樹脂左縦框２３２との接合は、金属左縦框２３１の室内側面に突出して設けられる係合片２３１ｂ，２３１ｃを樹脂左縦框２３２の室外側面に形成された凹状の係合部２３２ｄ、２３２ｅに係合することによって行われ、係合片２３１ｂ，２３１ｃの見込み寸法の分だけ室内側に配置されることとなり、そこから熱が室内側に伝達されることがあった。
【００２６】
そこで、本実施形態に示す勝手口ドアでは、金属框に接合して複合框を形成する樹脂框を、金属框の室内側面に樹脂框が接合された時に、金属框の室内側面に設けられる樹脂框接合用の係合片の室内側及びすくなくとも内周側と外周側のいずれかの側に、中空部が配置されるように構成して、框における断熱性能を向上させている。
以下、本実施形態の勝手口ドアの複合框の断熱構造について、図３を示して、詳細に説明する。
【００２７】
左縦枠１３の金属左縦枠１３１の中空の本体部１３１ａは、左縦枠１３の見込み方向略中央位置において、内周面が外周方向に変化して段差部１３１ｄが形成されている。そして、金属左縦枠１３１の樹脂枠取付部１３１ｂに主樹脂左縦枠１３２が取り付けられることにより、段差部１３１ｄ及び主樹脂左縦枠１３２の内周面により、左縦枠１３の室内側内周面に外周方向に凹む凹部ａが形成される。
【００２８】
本体部１３１ａの段差部１３１ｄの室内側面には気密材保持部が形成されており、気密材保持部には、内周方向にヒレ片を伸ばす気密材ｓ２が保持されて、その先端が後述する左縦框２３の室内側に存在する樹脂左縦框２３２の外周面に当接することで、ドア本体２の樹脂左縦框２３２の室内側に、空間Ａを形成している。
その空間Ａは、主樹脂左縦枠１３２に保持された気密材ｓ１がドア本体２の樹脂左縦框２３２の室内側面に当接することで、ヒンジ７１が配置される空間と室内空間との間に配置される独立した密閉空間となり、断熱性能を向上させることができる。
【００２９】
また、空間Ａは、段差部１３１ｄにより形成される凹部ａにより、ヒンジ７１が配置される枠体１とドア本体２との間の空間よりも見付け方向に広い断熱空間となっているので、気密材の隙間から浸入する空気の勢いが空間Ａにより弱まり、それ以上の室内側への浸入を防止して、空気による熱の直接的な伝達を防止することができる。
【００３０】
主樹脂左縦枠１３２に保持された気密材ｓ１と、段差部１３１ｄの気密材保持部に保持された気密材ｓ２が当接する樹脂左縦框２３２は、室内側に複数の中空部が見付け幅方向に並んで中空本体部２３２ａが形成され、その外周には、小中空部２３２ｂが形成されるとともに、内周側室外面には、内周側小中空部２３２ｃが配置されている。
内周側小中空部２３２ｃの室外側の壁は外周方向に延出されて外周に向かって開口する係合部２３２ｄを形成し、中空本体部２３２ａの外周側の室外側面から逆Ｌ字状に突出して内周方向に向かって開口する係合部２３２ｅが形成されている。
内周側の係合部２３２ｄと外周側の係合部２３２ｅとの間には、隔壁２３２ｆが形成されている。
【００３１】
左縦框２３の金属左縦框２３１は、外周部分が見込み方向に寸法を大きくしてヒンジ取付部分が形成されており、ヒンジ取付部分より内周側の室内側面には、内周側と外周側にそれぞれ樹脂左縦框２３２を接合するための係合片２３１ｂ，２３１ｃが突出して形成されている。内周側の係合片２３１ｂは、ガラス間口より内周側小中空部２３２ｃの見付け幅寸法分外周方向にその位置をずらして形成してあり、内周側の係合片２３１ｂの内周面に樹脂よりなる中空部を配置することを可能にしている。
そして、金属左縦框２３１の係合片２３１ｂ，２３１ｃを樹脂左縦框２３２の係合部２３２ｄ，２３２ｅに係合することで、金属左縦框２３１の室内側に樹脂左縦框２３２を接合しており、金属左縦框２３１と樹脂左縦框２３２との間の内周側小中空部２３２ｃと係合部２３２ｅとの間には、隔壁２３２ｆにより分割された複数の中空部からなる空気層が形成されている。
【００３２】
以上のように、金属縦框の室内側に樹脂縦框を接合した際に、樹脂縦框を係合するための係合片２３１ｂの室内側に中空本体部２３２ａが配置されるとともに、内周側（ガラス間口側）には内周側小中空部２３２ｃを配置されるので、係合片２３１ｂの室内側及び内周側を中空部が囲むこととなり、室内側及びガラス間口側への熱の伝達を中空断熱構造により抑制して断熱性能を向上させることができる。
また、中空本体部２３２ａの外周側に小中空部２３２ｂを配置しているので、枠体の縦枠と障子の縦框との間の空間からの室内方向に向けて伝達される熱について、小中空部の中空断熱構造により抑制することができる。
さらに、金属框の室内側面は、四周に亘ってその全域を樹脂框の中空部により覆うとともに、金属框と樹脂框とで中空部を形成して金属框と樹脂框との間に空気層を介在させることで、金属框と樹脂框との接触面積を極力小さくすることで、熱の伝達を抑制することができる。
【００３３】
なお、本実施形態においては、框の断熱構造について左縦框の金属左縦框の内周側の係合片２３１ｂを用いて説明しているが、係合片を中空部によって囲むことによる断熱は、外周側の係合片に対しても採用することができる。
また、本実施形態の框の断熱構造は、特に、寸法の大きい縦框に採用することで、建具の断熱性能を向上させることができるが、他の框や枠体における断熱構造としても採用することも可能である。
【符号の説明】
【００３４】
１        ：枠体
１１      ：上枠
１１１    ：金属上枠
１１１ａ  ：上枠本体部
１１１ｂ  ：室内側部分
１１１ｃ  ：嵌合溝
１１２    ：樹脂上枠
１１２ａ  ：樹脂枠本体部
１１２ｂ  ：嵌合部
１１２ｃ  ：溝部
１１２ｄ  ：樹脂蓋
１２      ：下枠
１２１    ：金属下枠
１２１ａ  ：下枠本体部
１２１ｂ  ：水切り
１２１ｃ  ：嵌合凹部
１２２    ：樹脂下枠
１２２ａ  ：樹脂下枠本体部
１２２ｂ  ：嵌合部
１３      ：左縦枠
１３１    ：金属左縦枠
１３１ａ  ：本体部
１３１ｂ  ：樹脂枠取付部
１３１ｃ  ：取付片
１３１ｄ  ：段差部
１３２    ：主樹脂左縦枠
１３２ａ  ：中空本体部
１３２ｂ  ：気密材保持片
１３２ｃ  ：係合溝
１３３    ：副樹脂左縦枠
１３３ａ  ：中空本体部
１３３ｂ  ：係合爪部
１３３ｃ  ：係合部
１４      ：右縦枠
１４１    ：金属右縦枠
１４１ａ  ：本体部
１４１ｂ  ：樹脂枠取付部
１４１ｃ  ：取付片
１４２    ：主樹脂右縦枠
１４２ａ  ：中空本体部
１４２ｂ  ：気密材保持片
１４２ｃ  ：係合溝
１４３    ：副樹脂右縦枠
１４３ａ  ：中空本体部
１４３ｂ  ：係合爪部
１４３ｃ  ：係合部
２        ：ドア本体
２１      ：上框
２１１    ：金属上框
２１１ａ  ：中空本体部
２１１ｂ  ：室外側壁
２１２    ：樹脂上框
２１２ａ  ：中空本体部
２２      ：下框
２３      ：左縦框
２３１    ：金属左縦框
２３１ａ  ：中空本体部
２３１ｂ  ：係合片
２３１ｃ  ：係合片
２３２    ：樹脂左縦框
２３２ａ  ：中空本体部
２３２ｂ  ：小中空部
２３２ｃ  ：内周側小中空部
２３２ｄ  ：係合部
２３２ｅ  ：係合部
２３２ｆ  ：隔壁
２４      ：右縦框
２４１    ：金属右縦框
２４１ａ  ：中空本体部
２４２    ：樹脂右縦框
７１      ：ヒンジ
７２      ：ドアクローザ
７３      ：アンカー部材
７４      ：ハンドル
７５      ：ラッチ機構
Ａ        ：空間
ａ        ：凹部
ｓ        ：気密材
ｓ１      ：気密材
ｓ２      ：気密材
【図１】
0006625331.tif 000002
【図２】
0006625331.tif 000003
【図３】
0006625331.tif 000004